(57)【特許請求の範囲】
【請求項１】
保護部材用の係合部を開口部の近傍に配設した本体装置と、
前記本体装置の開口部に閉塞可能に装着されるカバー部と前記係合部に係合される爪部とを脚部を介して連結した保護部材とを有し、
前記爪部は、前記保護部材が前記本体装置から所定方向へ引き出される際に前記係合部に当接して前記保護部材を所定位置で停止させる鍔部が設けられるとともに、前記係合部に当接する前記鍔部の当接面の当接方向と略垂直である前記爪部の両側面の方向へ突出し、前記保護部材が前記本体装置から斜行する方向へ引き出される場合に前記係合部よりも前記本体装置内の内奥に形成された内壁部の段部に当接する突起部が設けられる
ことを特徴とする携帯端末装置。
【請求項２】
前記突起部は、半円弧形状に形成される
ことを特徴とする請求項１に記載の携帯端末装置。
【請求項３】
前記突起部は、前記爪部の先端部から離隔した位置に形成される
ことを特徴とする請求項１または２に記載の携帯端末装置。
【発明の詳細な説明】
【技術分野】
【０００１】
本発明は、携帯端末装置に関する。
【背景技術】
【０００２】
従来から携帯電話機などの携帯端末装置には、充電用として使用する外部端子やＵＳＢ端子などデータ通信用として使用する外部端子（コネクタ）が設けられる。通常、このようなコネクタには、コネクタの未使用時にコネクタが外部に露出ことを防止するとともに、コネクタを保護するための保護キャップが装着される。
【０００３】
以下、図１１および図１２を用いて、従来の携帯電話機１′に装着される保護キャップ２の概要について説明する。図１１は、従来の保護キャップ２の概要を説明する斜視図である。また、図１２は、従来の保護キャップの取り外し状態（開状態）を説明する斜視図である。
【０００４】
図１１に示すように、携帯電話機１′は、可動側筐体１０および固定側筐体２０を備え、これら可動側筐体１０および固定側筐体２０がヒンジ部１３により開閉自在に連結される。また、固定側筐体２０の固定側リアケース２２を形成する側板部２３の一部にコネクタ２４が設けられる。
【０００５】
保護キャップ２は、側板部２３に設けられたコネクタ２４の開口部２６に対して開閉可能に装着される。すなわち、携帯電話機1´の使用者は、コネクタ２４を使用する場合には、適宜、保護キャップ２を開けることで、コネクタ２４にＵＳＢケーブルなどを接続することができる。
【０００６】
図１１、１２に示すように、保護キャップ２は、本体部の一端から延出する延出部３と、延出部３の先端に形成した係合爪部４とを有する。そして、係合爪部４の鍔部５が側板部２３の挿通孔（図示せず）の一部に設けられた段部（図示せず）と当接する。これにより、保護キャップ２の延出部３および係合爪部４を側板部２３の所定の位置に停止させるとともに、保護キャップ２を開口部２６に装着することができる。
【先行技術文献】
【特許文献】
【０００７】
【特許文献１】特開２００５−２２８７５６号公報
【特許文献２】特開２００９−１４１４３１号公報
【発明の概要】
【発明が解決しようとする課題】
【０００８】
ところが、上述した従来の携帯電話機１´の場合には、携帯電話機１´の使用者が保護キャップ２を開放した時などに、この保護キャップ２が装着口である開口部２６から不用意に脱落し、外れてしまうという問題がある。
【０００９】
すなわち、通常、保護キャップ２を所定の方向（水平方向）に向けて開けた場合には、係合爪部４の鍔部５と段部との当接し保護キャップ２が開口部２６から外れることを防止する。ところが、この保護キャップ２を例えば、斜め方向（図１１のＰ２方向）に傾斜し開けた場合には、係合爪部４の鍔部５と段部との当接が外れる恐れがある。この結果、保護キャップ２の延出部３が挿通孔から抜け落ちて、保護キャップ２が開口部２６から脱落し、抜け落ちるという問題がある。
【００１０】
このため、携帯電話機１′の使用者が再度、保護キャップ２を、側板部２３の開口部２６に設けた挿入孔に差し込む作業及び組み付け作業に手間がかかるという問題がある。また、このような携帯電話機１′に設けられる保護キャップ２は、経時劣化や交換が必要となった場合に、携帯ショップなどで修理や交換作業を行なう必要がある。
【００１１】
このため、保護キャップ２には、携帯電話機１´に対する取り付けや取り外しが簡単で、且つ、携帯電話機１´の使用者にとっては、斜め方向などに保護キャップ２を開放した場合でも保護キャップ２が容易に外れない程度の支持力や強度を備える必要がある。
【００１２】
すなわち、保護キャップ２の取り外し時に、保護キャップ２を形成する部品（延出部３や係合爪部４）が破損したり切断により携帯電話機１´の内部に残存した場合には、携帯電話機１を分解して残存した部品を取り出す面倒な作業が必要となる。
【００１３】
このため、保護キャップ２を構成する延出部３および係合爪部４には、取り付け部位に対してある程度の支持力や強度が要求される。また、取り付け部位と保護キャップを形成する延出部３および係合爪部４との嵌合状態を適度な支持力で維持するための調整が必要となる。
【００１４】
以上のことから、保護キャップ２には、この保護キャップ２の引抜き角度による抜去力のバラツキを無くすとともに、保護キャップ２の開放操作を行なった際に、この保護キャップ２が開口部２６から脱落することを確実に防止する構造が要求されている。
【００１５】
開示の技術は、上述した従来技術の課題を解決するためになされたものであり、携帯端末装置の外部端子に装着する保護キャップが脱落することを確実に防止することができる携帯端末装置を提供する。
【課題を解決するための手段】
【００１６】
上述した課題を解決し、目的を達成するため、保護部材用の係合部を開口部の近傍に配設した本体装置と、本体装置の開口部に閉塞可能に装着されるカバー部と係合部に係合される爪部とを脚部を介して連結した保護部材とを有し、爪部を傾斜して前記係合部から引き抜かれる場合の応力に対抗する突起部を爪部の少なくとも一方の側面に備えたことを要件とする。
【発明の効果】
【００１７】
本願に開示する携帯端末装置の一つの態様によれば、携帯端末装置の外部端子に装着する保護部材が不用意に脱落することを防止することができる。
【図面の簡単な説明】
【００１８】
【図１】図１は、実施例に係る保護キャップの装着時の携帯電話機の外観を示す側面図である。
【図２】図２は、実施例に係る保護キャップの取り外し時の携帯電話機の外観を示す側面図である。
【図３】図３は、保護キャップの外観を示す平面図である。
【図４】図４は、図３のＡ部拡大図である。
【図５】図５は、保護キャップの取り外し時を示す斜視図である。
【図６】図６は、図５のＢ部拡大図である。
【図７】図７は、固定側リアケースの側板部の内部を示す断面図である。
【図８】図８は、保護キャップの開状態を示す斜視図である。
【図９】図９は、図８の固定側リアケースの側板部の内部を示す断面図である。
【図１０−１】図１０−１は、保護キャップの開状態を説明する図である。
【図１０−２】図１０−２は、保護キャップの開状態を説明する図である。
【図１０−３】図１０−３は、保護キャップの開状態を説明する図である。
【図１１】図１１は、従来の保護キャップの概要を説明する斜視図である。
【図１２】図１２は、従来の保護キャップの取り外し状態（開状態）を説明する斜図である。
【発明を実施するための形態】
【００１９】
以下に添付図面を参照して、本願の開示する携帯端末装置の好適な実施例を詳細に説明する。図１は、実施例に係る保護キャップの装着時の携帯電話機の外観を示す側面図である。また、図２は、実施例に係る保護キャップの取り外し時の携帯電話機の外観を示す側面図である。
【００２０】
また、図３は、保護キャップの外観を示す平面図を、図４は、図３のＡ部拡大図を、図５は、保護キャップの取り外し時を示す斜視図である。また、図６は、図５のＢ部拡大図である。なお以下の、実施例は、携帯端末装置として携帯電話機への適用例を示す。なお、この実施例により、本発明が限定されるものではない。
【実施例】
【００２１】
図１、２に示すように、携帯電話機１は、可動側筐体１０と固定側筐体２０とを備えるとともに、これら可動側筐体１０と固定側筐体２０とは、ヒンジ部１３を介して開閉自在に連結される。
【００２２】
可動側筐体１０は、携帯電話機１の外方側に位置する可動側リアケース１１と携帯電話機１の内方側に位置するＬＣＤモジュール（図示せず）などを有する可動側フロントケース１２との２分割構造を備える。これら両ケース１１、１２は、薄肉の箱形状に形成され、それぞれ４箇所の位置で取り付けネジ（図示せず）によるネジ止め固定により組み付けられる。
【００２３】
固定側筐体２０は、携帯電話機１の内方側に位置し、数字キーや機能キーなどの各種操作キーを備える操作パネル（図示せず）が配置された固定側フロントケース２１と、携帯電話機１の外方側に位置する固定側リアケース２２との２分割構造を備えている。これら両ケース２１、２２は、薄肉の箱形状に形成され、それぞれ４箇所の位置で取り付けネジ（図示せず）によるネジ止め固定により組み付けられる。
【００２４】
また、固定側筐体２０の固定側リアケース２２を形成する側板部２３の片側（図１、２の右側）の一部には、ＵＳＢケーブルなどの接続用として利用するコネクタ２４（外部端子）が設けられる。また、コネクタ２４の周囲には、保護キャップ４０の装着口として設けられた開口部２６が形成される。
【００２５】
開口部２６は、保護キャップ４０の本体部４１の形状とほぼ一致する長円形として形成され、この開口部２６のほぼ中央部には、凹部２７が設けられる。そして、この開口部２６に対して、保護キャップ４０が開閉可能に装着される。
【００２６】
保護キャップ４０は、全体が長尺状に形成されたカバー部としての本体部４１と、この本体部４１の一端（図３、４左側）から延出する延出部４２と、他端（図３、４の右側）に形成された係合部４３とを有する。
【００２７】
また、開口部２６の一端（図５、６の左側）には、保護キャップ４０の係合爪部４６が設けられた延出部４２（図３、４）を差し込むための挿通孔２５が形成され、他端（図５、６の右側）には、保護キャップ４０の係合部４３を係合させる係合孔２８が形成される。
【００２８】
保護キャップ４０は、この保護キャップ４０の一端側（図５、６の左側）に設けた延出部４２が側板部２３の開口部２６に形成された挿通孔２５の奥側に差し込まれる。このように、保護キャップ４０の延出部４２が挿通孔２５の内部で挟持されることで、この保護キャップ４０の延出部４２および係合爪部４６は開口部２６からの離脱が拘束される。
【００２９】
また、保護キャップ４０の他端側（図５、６の右側）に設けられた係合部４３が側板部２３の開口部２６に形成した係合孔２８に嵌合した状態で装着される。
【００３０】
また、保護キャップ４０の本体部４１の内側には、長円形に形成された凸部４４と、この凸部４４のほぼ中央部に形成された保護部４５とが設けられる。すなわち、保護キャップ４０の本体部４１の凸部４４は、保護キャップ４０の装着時に、開口部２６に設けられた凹部２７と嵌合する。また、保護キャップ４０の保護部４５は、保護キャップ４０の装着時、コネクタ２４の表面部を覆うことで、コネクタ２４の表面を保護することができる。
【００３１】
また、保護キャップ４０の延出部４２の先端部には、係合爪部４６が形成されている。係合爪部４６は、先端部が鋭角となる断面が三角形状の爪部として形成され、基端部には、垂直方向に形成された鍔部４７を有する。また、この係合爪部４６の両側には、半円弧形状に形成された一対の突起部４８が設けられている。
【００３２】
後述するように、係合爪部４６に設けられた突起部４８は、保護キャップ４０が斜め方向に開放された場合には、側板部２３の内部に設けられた内壁部３２（図７）の段部３３に突起部４８が当接する。これにより、保護キャップ４０の開放時の延出部４２および係合爪部４６の位置を所定の停止位置とすることができる。
【００３３】
また、突起部４８は、係合爪部４６の先端部から少し離隔した位置に形成されている。これは、携帯電話機１に保護キャップ４０を取り付ける時に、この保護キャップ４０の延出部４２を内壁部２６の挿通孔２５に挿入し易くするためである。
【００３４】
なお、本実施例では、係合爪部４６に設けた突起部４８の形状を半円弧形状としているが、この突起部４８は、半円弧形状の突起以外にも、先端部に向けて鋭角となるように形成された断面が三角形状の係合爪部として形成してもよい。
【００３５】
次に、保護キャップ４０が設けられる固定側リアケース２２の側板部２３の内部の詳細について説明する。図７は、固定側リアケースの側板部の内部を示す断面図である。また、図８は、保護キャップの開状態を示す斜視図である（Ｐ２方向への開操作状態）。図９は、図８の固定側リアケースの側板部の内部を示す断面図である。
【００３６】
図７に示すように、固定側リアケース２２の側板部２３の内部には、空間領域３１が形成され、この空間領域３１には、空間領域３１の長手方向（図７の左方向）に亙り形成された挿通孔２５が設けられる。この挿通孔２５は、保護キャップ４０の延出部４２および係合爪部４６の差し込み口として形成される。
【００３７】
すなわち、保護キャップ４０を形成する係合爪部４６が設けられた延出部４２は、挿通孔２５の内部で遊嵌状態で挟持されることで、この保護キャップ４０の延出部４２を支持することができる。このため、挿通孔２５の幅寸法は、保護キャップ４０の延出部４２の幅寸法とほぼ同一寸法の大きさに形成される。
【００３８】
また、側板部２３に形成された挿通孔２５の一部には、凸部として形成された挿通孔が設けられている。この挿通孔は、保護キャップ４０の延出部４２の係合爪部４６に設けた鍔部４７との当接部となる。すなわち、保護キャップ４０の係合爪部４６の鍔部４７と内壁部３２の係合部３６とが当接することで、保護キャップ４０の開放時に、この保護キャップ４０を所定の位置（図７）で停止させることができる。
【００３９】
また、側板部２３の空間領域３１を形成する内壁部３２には段部３３が設けられ、この段部３３は、保護キャップ４０の延出部４２の係合爪部４６に設けられた突起部４８と当接する当接部となる。すなわち、係合爪部４６の突起部４８は、空間領域３１を形成する内壁部３２に設けた段部３３と当接し、この段部３３との当接により保護キャップ４０が所定の停止位置から抜け落ちて脱落することを防止することができる。
【００４０】
このように、保護キャップ４０の係合爪部４６に設けられた突起部４８は、保護キャップ４０が斜め方向に開けて引き出された場合は、この斜め方向（図８、９のＰ２方向）の抜去力に対抗して突起部４８が段部３３と当接する。すなわち、保護キャップ４０の係合爪部４６に設けられた突起部４８は、保護キャップ４０の斜め方向の抜去力に対抗することで、不用意な抜け落ち（脱落）を防止する機能を備えている。
【００４１】
以下、図１０−１〜図１０−３を用いて、携帯電話機１に装着した保護キャップ４０の開状態を説明する。図１０−１〜図１０−３は、保護キャップ４０の開状態をそれぞれ説明する図である。
【００４２】
すなわち、図１０−１に示すように、保護キャップ４０は、この保護キャップ４０の一端側（図１０−１の左側）である延出部４２が側板部２３の開口部２６に形成した挿通孔２５の奥側に差し込まれた状態で装着される。
【００４３】
また、保護キャップ４０の他端側（図１０−１の右側）に設けられた係合部４３が側板部２３の開口部２６に形成した係合孔２８に嵌合した状態で装着される。前述したように、保護キャップ４０の延出部４２が挿通孔２５の内部で遊嵌状態で挟持されることで、この保護キャップ４０の延出部４２および係合爪部４６は離脱が拘束された状態となる。
【００４４】
このため、保護キャップ４０を開ける場合には、図１０−２に示すように、先ず、保護キャップ４０の本体部４１の右側付近を弾性を利用して折り曲げながら側板部２３の開口部２６の係合孔２８から係合部４３を前側（図１０−２のａ方向）に離脱させる。
【００４５】
次に、図１０−３に示すように、保護キャップ４０の係合爪部４６および延出部４２を手前側（図１０−３のｂ方向）に引き出す。同図に示すように、保護キャップ４０を手前側に引き出した際には、保護キャップ４０の延出部４２に設けた係合爪部４６の鍔部４７が挿通孔２５の一部に設けた係合部３６と当接する。このように、保護キャップ４０の係合爪部４６の鍔部４７と挿通孔２５の係合３６とが当接することにより保護キャップ４０は、所定の位置（保護キャップ４０が、開口部２６から外れない位置）で停止する。
【００４６】
また、本実施例では、保護キャップ４０の延出部４２の先端部に設けた係合爪部４６に一対の突起部４８を設けているため、係合爪部４６が斜め方向（図８、９のＰ２方向）に引き出された場合でも、開口部２６から保護キャップ４０が脱落することはない。
【００４７】
具体的に説明すると、図８、図９に示すように、保護キャップ４０を斜め方向（図８、９のＰ２方向）に開放しようとした場合、保護キャップ４０の延出部４２に設けた係合爪部４６の突起部４８が側板部２３の内部に設けた内壁部３２の段部３３に当接する。このため、斜行した保護キャップ４０の延出部４２の向きが補正されるとともに、この保護キャップ４０の係合爪部４６および延出部４２が側板部２３の挿通孔２５を通過し抜け落ちることが阻止される。これによって、保護キャップ４０が開口部２６から離脱し外れることを防止することができる。
【００４８】
また、携帯ショップなどで、保護キャップ４０の修理や交換を行う場合には、固定側リアケース２２の側板部２３に設けた開口部２６から保護キャップ４０を取り外す作業を行なう。この場合、図１０−３に示すように、保護キャップ４０を開放するとともに、保護キャップ４０を手前側（図１０−３のｃ方向）に向けて引き出す。実際には、保護キャップ４０の係合爪部４６に設けた突起部４８と、側板部２３の段部３３との当接を解除することで保護キャップ４０を開口部２６から取り外すこととなる。
【００４９】
一方、携帯電話機１に保護キャップ４０を取り付ける場合には、開口部２６の挿通孔２５に保護キャップ４０の係合爪部４６および延出部４２を挿通させる。この場合、保護キャップ４０の係合爪部４６の突起部４８を少し変形させた状態で、延出部４２の係合爪部４６を挿通孔２５から通過させ空間領域３１（図７）まで、捻じ込むこととなる。次に、保護キャップ４０の本体部４１を弾力で少し屈曲させながら保護キャップ４０の他端部（図１０−１の右側）に設けた係合部４３を開口部２６の係合孔２８に嵌合させ、保護キャップ４０を開口部２６の内部に取り付ける。
【００５０】
この場合、保護キャップ４０の係合爪部４６に設けた突起部４８と段部３３とは、適度な当接圧で嵌合している。このため、保護キャップ４０の取り外し作業時に保護キャップ４０の延出部４２が破損（切断）することはなく、保護キャップ４０の修理や交換作業時の手間を大幅に削減することができる。
【００５１】
以上説明したように、本実施例の携帯電話機１は、固定側リアケース２２に設けたコネクタ２４の近傍に形成された開口部２６に対して、閉塞可能に装着される保護キャップ４０を備える。また、保護キャップ４０は、本体部４１と延出部４２と、延出部４２の先端部に形成された係合爪部４６と、係合爪部４６の側面に形成された一対の突起部４８とを備える。これにより、保護キャップ４０に対する引き抜き角度に応じた抜去力のバラツキを無くすとともに、保護キャップ４０の斜め方向への開放操作時に、この保護キャップ４０が脱落することを確実に防止することができる。
【００５２】
なお、本実施例では、従来の携帯端末装置の筐体内部の構造を特に変形することなく保護キャップ（保護部材）の形状を変更するだけで採用できるため、既存の携帯電話機の構造をそのまま適用でき、これによって、低コスト化を実現することができる。
【００５３】
また、本実施例では、携帯電話機の固定側筐体（固定側リアケース）に形成した開口部に装着される保護キャップとしているが、この保護キャップは、可動側筐体（可動側リアケース）に形成した開口部に装着する保護キャップとしても適用することが可能である。
【００５４】
また、本発明の携帯端末装置で適用される保護キャップは、携帯電話機に適用される保護キャップとして説明したが、本発明は、携帯電話機以外にも、その他の情報処理装置に設ける保護キャップとして適用することができる。例えば、ＰＤＡ（Personal Digital Assistant）、パーソナルコンピュータ、携帯型ゲーム機、携帯型音楽再生機、携帯型動画再生機に設ける保護キャップとして適用することができる。
【００５５】
また、携帯端末装置には、メモリカードなどのＩＣカードのカード格納スロットなども設けられているため、スロットの不使用時にスロットが外部に露出することを防止するために設けられたスロットキャップとして、本発明の携帯電話機の保護キャップを適用することもできる。
【符号の説明】
【００５６】
１、１′  携帯電話機
２、４０  保護キャップ
３、４２  延出部
４、４６  係合爪部
５、４７  鍔部
１０  可動側筐体
１１  可動側フロントケース
１２  可動側リアケース
１３  ヒンジ部
２０  固定側筐体
２１  固定側フロントケース
２２  固定側リアケース
２３  側板部
２４  コネクタ
２５  挿通孔
２６  開口部
２７  凹部
２８  係合孔
３１  空間領域
３２  内壁部
３３  段部
４０  保護キャップ
４１  本体部
４３  係合凸部
４４  凸部
４５  保護部
４８  突起部
【図１】
0005447037.tif 000002
【図２】
0005447037.tif 000003
【図３】
0005447037.tif 000004
【図４】
0005447037.tif 000005
【図５】
0005447037.tif 000006
【図６】
0005447037.tif 000007
【図７】
0005447037.tif 000008
【図８】
0005447037.tif 000009
【図９】
0005447037.tif 000010
【図１０−１】
0005447037.tif 000011
【図１０−２】
0005447037.tif 000012
【図１０−３】
0005447037.tif 000013
【図１１】
0005447037.tif 000014
【図１２】
0005447037.tif 000015